(57)【要約】【課題】光源の劣化を抑制し、記録品質に優れた記録を高速度で行うことができる記録条件決定方法を提供する。【解決手段】ＯＰＣ又はランニングＯＰＣにて得られた最適な記録パワーが所定の閾値を超えているか否かが判別され（ステップ４０５）、その結果、最適な記録パワーが閾値を超えている場合に、所定の選択基準に応じて、最適な記録パワーを変更しない選択肢を含む複数の選択肢の中からいずれかが選択される（ステップ４０７〜４１５）。そして、その選択された選択肢に基づいて記録条件が決定される（ステップ４２３、４２５、４２７）。そこで、光源に対するダメージが小さいと予想できるときには、最適な記録パワーを変更しない選択肢が選択されるように判断基準を設定することにより、最適な記録パワーが閾値を超えていても、記録速度を下げることなく記録を行うことが可能となる。【選択図】  図６
2004192726.tif 000002
【特許請求の範囲】
【請求項１】
光源から出射された光ビームを用いて情報記録媒体に情報を記録する情報記録装置で行われる記録条件決定方法であって、
前記情報記録媒体に対する試し書きの結果又は記録時の前記情報記録媒体からの反射光の受光結果に基づいて前記光源の最適な記録パワーが予め設定されている閾値を超えているか否かを判別する第１工程と；
前記第１工程での判別の結果、前記最適な記録パワーが前記閾値を超えている場合に、所定の選択基準に応じて、最適な記録パワーを変更しない選択肢を含む複数の選択肢の中からいずれかを選択する第２工程と；
前記選択された選択肢に基づいて記録条件を決定する第３工程と；を含む記録条件決定方法。
【請求項２】
前記選択基準は、前記光源の寿命に及ぼす影響の予測結果が所定のレベル以下のときに、前記複数の選択肢の中から、最適な記録パワーを変更しない選択肢を選択する基準であることを特徴とする請求項１に記載の記録条件決定方法。
【請求項３】
前記光源の寿命に及ぼす影響は、記録するデータ量、記録に要する時間、及び過去の記録パワーと記録時間に関する履歴情報の少なくとも１つに基づいて予測されることを特徴とする請求項２に記載の記録条件決定方法。
【請求項４】
前記第１工程では、前記情報記録媒体に対する試し書きの結果に基づいて前記最適な記録パワーが前記閾値を超えているか否かを判別し、
前記複数の選択肢は、記録速度を下げて再度試し書きを行い新たに最適な記録パワーを求める選択肢、及び閾値近傍の所定値に記録パワーを変更する選択肢の少なくとも一方を更に含むことを特徴とする請求項１〜３のいずれか一項に記載の記録条件決定方法。
【請求項５】
前記第１工程では、記録時の前記情報記録媒体からの反射光の受光結果に基づいて前記最適な記録パワーが前記閾値を超えているか否かを判別し、
前記複数の選択肢は、記録パワーを１段階下げる選択肢を更に含むことを特徴とする請求項１〜３のいずれか一項に記載の記録条件決定方法。
【請求項６】
前記選択基準は、予め設定された基準であることを特徴とする請求項１に記載の記録条件決定方法。
【請求項７】
前記選択基準は、外部入力によって設定される基準であることを特徴とする請求項１に記載の記録条件決定方法。
【請求項８】
前記基準は、記録速度を下げて再度試し書きを行い新たに最適な記録パワーを求める選択肢、閾値近傍の所定値に記録パワーを変更する選択肢、及び記録パワーを一段階下げる選択肢、の中の少なくとも１つの選択肢と、最適な記録パワーを変更しない選択肢とを含む複数の選択肢の中から１つを選択するための基準であることを特徴とする請求項６又は７に記載の記録条件決定方法。
【請求項９】
前記第２工程で、前記選択基準に応じて、最適な記録パワーを変更しない選択肢が選択された場合に、前記最適な記録パワー及び前記最適な記録パワーでの前記光源の発光時間を含む履歴情報を保存する第４工程を更に含むことを特徴とする請求項１〜８のいずれか一項に記載の記録条件決定方法。
【請求項１０】
光源から出射された光ビームを用いて情報記録媒体に情報を記録する情報記録装置で用いられるプログラムであって、
前記情報記録媒体に対する試し書きの結果又は記録時の前記情報記録媒体からの反射光の受光結果に基づいて前記光源の最適な記録パワーが予め設定されている閾値を超えているか否かを判別する第１手順と；
前記判別の結果、前記最適な記録パワーが前記閾値を超えている場合に、所定の選択基準に応じて、最適な記録パワーを変更しない選択肢を含む複数の選択肢の中からいずれかを選択する第２手順と；
前記選択された選択肢に基づいて記録条件を決定する第３手順と；を前記情報記録装置の制御用コンピュータに実行させるプログラム。
【請求項１１】
前記選択基準は、前記光源の寿命に及ぼす影響の予測結果が所定のレベル以下のときに、前記複数の選択肢の中から、最適な記録パワーを変更しない選択肢を選択する基準であることを特徴とする請求項１０に記載のプログラム。
【請求項１２】
請求項１０又は１１に記載のプログラムが記録されたコンピュータ読み取り可能な記録媒体。
【請求項１３】
光源から出射された光ビームを用いて情報記録媒体に情報を記録する情報記録装置であって、
前記情報記録媒体に対する試し書きの結果、又は情報の記録時の前記情報記録媒体からの反射光の受光結果に基づいて前記光源の最適な記録パワーを求める記録パワー取得手段と；
前記最適な記録パワーが予め設定されている閾値を超えているか否かを判別する判別手段と；
前記判別手段での判別の結果、前記最適な記録パワーが前記閾値を超えている場合に、所定の選択基準に応じて、最適な記録パワーを変更しない選択肢を含む複数の選択肢の中からいずれかを選択する選択手段と；
前記選択された選択肢に基づいて記録条件を決定する決定手段と；を備える情報記録装置。
【請求項１４】
前記光源に関する履歴情報が保存される第１の記憶手段と；
前記選択手段で最適な記録パワーを変更しない選択肢が選択された場合に、前記最適な記録パワー及び前記最適な記録パワーでの前記光源の発光時間を含む履歴情報を前記第１の記憶手段に保存する保存手段と；を更に備えることを特徴とする請求項１３に記載の情報記録装置。
【請求項１５】
前記情報記録媒体の種類を取得する種類取得手段と；
前記閾値近傍の所定値がそのパワーマージン内に含まれる少なくとも１つの情報記録媒体の種類が記録されている第２の記憶手段と；を更に備え、
前記複数の選択肢は、閾値近傍の所定値に記録パワーを変更する選択肢を更に含み、
前記選択手段は、前記種類取得手段にて取得された情報記録媒体の種類が前記第２の記憶手段に記録されている場合に、前記閾値近傍の所定値に記録パワーを変更する選択肢を選択することを特徴とする請求項１３又は１４に記載の情報記装置。
【請求項１６】
前記判別手段での判別の結果を外部装置に通知する通知手段を更に備えることを特徴とする請求項１３〜１５のいずれか一項に記載の情報記録装置。
【請求項１７】
情報記録媒体に情報を記録する情報記録システムであって、請求項１３〜１６のいずれか一項に記載の情報記録装置と；
前記情報記録装置を制御する情報処理装置と；を備える情報記録システム。
【請求項１８】
前記情報処理装置は、前記最適な記録パワーが前記閾値を超えているときに、最適な記録パワーを変更しない選択肢を含む複数の選択肢を表示する表示手段と、前記表示手段に表示された複数の選択肢の中からいずれかの選択肢を選択するための入力手段と、前記入力手段にて選択された選択肢を前記情報記録装置に通知する通知手段と、を備えることを特徴とする請求項１７に記載に情報記録システム。
【発明の詳細な説明】
【０００１】
【発明の属する技術分野】
本発明は、記録条件決定方法、プログラム及び記録媒体、情報記録装置、並びに情報記録システムに係り、更に詳しくは、情報記録媒体に情報を記録する際の最適な記録条件を決定する記録条件決定方法、情報記録装置で用いられるプログラム及び該プログラムが記録された記録媒体、情報記録媒体に情報を記録する情報記録装置、並びに情報記録装置と情報処理装置とを含む情報記録システムに関する。
【０００２】
【従来の技術】
近年、パーソナルコンピュータ（以下「パソコン」と略述する）は、その機能が向上するに伴い、音楽や映像といったＡＶ（Ａｕｄｉｏ−Ｖｉｓｕａｌ）情報を取り扱うことが可能となってきた。これらＡＶ情報の情報量は非常に大きいために、情報記録媒体としてＣＤ（ｃｏｍｐａｃｔ  ｄｉｓｃ）やＤＶＤ（ｄｉｇｉｔａｌ  ｖｅｒｓａｔｉｌｅ  ｄｉｓｃ）などの光ディスクが注目されるようになり、その低価格化とともに、情報記録装置としての光ディスク装置がパソコンの周辺機器の一つとして普及するようになった。光ディスク装置では、光ディスクのスパイラル状又は同心円状のトラックが形成された記録面にレーザ光の微小スポットを照射することにより情報の記録及び消去を行い、記録面からの反射光に基づいて情報の再生などを行っている。そして、光ディスク装置には、情報記録媒体の記録面にレーザ光を照射するとともに、記録面からの反射光を受光するための装置として、光ピックアップ装置が設けられている。
【０００３】
通常、光ピックアップ装置は、レーザ光を所定の発光パワー（出力）で出射する光源、その光源から出射されるレーザ光を情報記録媒体の記録面に導くとともに、記録面で反射されたレーザ光を所定の受光位置まで導く光学系、及びその受光位置に配置された受光素子などを備えている。
【０００４】
光ディスクでは、互いに反射率の異なるマーク（ピット）領域及びスペース領域のそれぞれの長さとそれらの組み合わせとによって情報が記録される。そこで、光ディスクに情報を記録する際には所定の位置に所定の長さのマーク領域及びスペース領域がそれぞれ形成されるように光源の発光パワーが制御される。
【０００５】
例えば、記録層に有機色素を含むＣＤ−Ｒ（ＣＤ−ｒｅｃｏｒｄａｂｌｅ）、ＤＶＤ−Ｒ（ＤＶＤ−ｒｅｃｏｒｄａｂｌｅ）、及びＤＶＤ＋Ｒ（ＤＶＤ＋ｒｅｃｏｒｄａｂｌｅ）などの追記型の光ディスク（以下、便宜上「色素型ディスク」という）では、マーク領域を形成するときには発光パワーを大きくして色素を加熱及び溶解し、そこに接している基板部分を変質・変形させている。一方、スペース領域を形成するときには基板が変質・変形しないように発光パワーを再生時と同程度に小さくしている。これにより、マーク領域ではスペース領域よりも反射率が低くなる。
【０００６】
また、記録層に特殊合金を含むＣＤ−ＲＷ（ＣＤ−ｒｅｗｒｉｔａｂｌｅ）、ＤＶＤ−ＲＷ（ＤＶＤ−ｒｅｗｒｉｔａｂｌｅ）、及びＤＶＤ＋ＲＷ（ＤＶＤ＋ｒｅｗｒｉｔａｂｌｅ）などの書き換え可能な光ディスク（以下、便宜上「相変化型ディスク」という）では、マーク領域を形成する時には、特殊合金を第１の温度に加熱したのち急冷し、アモルファス（非晶質）状態にしている。一方、スペース領域を形成する時には、特殊合金を第２の温度（＜第１の温度）に加熱したのち徐冷し、結晶状態にしている。これにより、マーク領域では、スペース領域よりも反射率が低くなる。
【０００７】
マーク領域を形成するのに必要な発光パワー（以下「記録パワー」ともいう）は、その後の記録速度の高速化により大きくなる傾向にある。しかしながら、記録パワーが大きくなると、光源の許容パワーを超える場合があり、光源の寿命が短くなるおそれがあった。そこで、光源の許容パワーに応じて記録速度を設定するいくつかの方法が提案されている（例えば、特許文献１及び特許文献２参照）。
【０００８】
【特許文献１】
特開２００２−２５１７３８号公報
【特許文献２】
特開２００１−６７６７２号公報
【０００９】
【発明が解決しようとする課題】
しかしながら、上記特許文献１及び特許文献２に開示されている方法では、所定の記録品質が得られるときの記録パワーが許容範囲内に存在しないときには、記録速度を下げているために、光源の寿命に対する影響が比較的小さい場合であっても記録速度が大幅に低下し、記録時間が長くなっていた。
【００１０】
本発明は、かかる事情の下になされたもので、その第１の目的は、光源の劣化を抑制し、記録品質に優れた記録を高速度で行うことができる記録条件決定方法、情報記録装置及び情報記録システムを提供することにある。
【００１１】
また、本発明の第２の目的は、情報記録装置の制御用コンピュータにて実行され、光源の劣化を抑制し、記録品質に優れた記録を高速度で行うことができるプログラム及びそのプログラムが記録された記録媒体を提供することにある。
【００１２】
【課題を解決するための手段】
請求項１に記載の発明は、光源から出射された光ビームを用いて情報記録媒体に情報を記録する情報記録装置で行われる記録条件決定方法であって、前記情報記録媒体に対する試し書きの結果又は記録時の前記情報記録媒体からの反射光の受光結果に基づいて前記光源の最適な記録パワーが予め設定されている閾値を超えているか否かを判別する第１工程と；前記第１工程での判別の結果、前記最適な記録パワーが前記閾値を超えている場合に、所定の選択基準に応じて、最適な記録パワーを変更しない選択肢を含む複数の選択肢の中からいずれかを選択する第２工程と；前記選択された選択肢に基づいて記録条件を決定する第３工程と；を含む記録条件決定方法である。
【００１３】
これによれば、情報記録媒体に対する試し書きの結果又は記録時の情報記録媒体からの反射光の受光結果に基づいて光源の最適な記録パワーが予め設定されている閾値を超えているか否かが判別され（第１工程）、その結果、最適な記録パワーが前記閾値を超えている場合に、所定の選択基準に応じて、最適な記録パワーを変更しない選択肢を含む複数の選択肢の中からいずれかが選択される（第２工程）。そして、その選択された選択肢に基づいて記録条件が決定される（第３工程）。そこで、例えば光源に対するダメージが小さいと予想できるときには、最適な記録パワーを変更しない選択肢が選択されるように選択基準を設定することにより、従来と異なり、最適な記録パワーが閾値を超えている場合であっても、記録速度を下げることなく記録を行うことが可能となる。従って、光源の劣化を抑制し、記録品質に優れた記録を高速度で行うことが可能となる。
【００１４】
この場合において、前記選択基準としては種々の基準が考えられるが、請求項２に記載の記録条件決定方法の如く、前記選択基準は、前記光源の寿命に及ぼす影響の予測結果が所定のレベル以下のときに、前記複数の選択肢の中から、最適な記録パワーを変更しない選択肢を選択する基準であることとしても良い。
【００１５】
この場合において、請求項３に記載の記録条件決定方法の如く、前記光源の寿命に及ぼす影響は、記録するデータ量、記録に要する時間、及び過去の記録パワーと記録時間に関する履歴情報の少なくとも１つに基づいて予測されることとすることができる。本明細書では、「記録するデータ量」は記録中における記録データの残量を含む。また、「記録に要する時間」は記録中における残りのデータを記録するのに要する時間を含む。
【００１６】
上記請求項１〜３に記載の各記録条件決定方法において、請求項４に記載の記録条件決定方法の如く、前記第１工程では、前記情報記録媒体に対する試し書きの結果に基づいて前記最適な記録パワーが前記閾値を超えているか否かを判別する場合に、前記複数の選択肢は、記録速度を下げて再度試し書きを行い新たに最適な記録パワーを求める選択肢、及び閾値近傍の所定値に記録パワーを変更する選択肢の少なくとも一方を更に含むこととすることができる。
【００１７】
上記請求項１〜３に記載の各記録条件決定方法において、請求項５に記載の記録条件決定方法の如く、前記第１工程では、記録時の前記情報記録媒体からの反射光の受光結果に基づいて前記最適な記録パワーが前記閾値を超えているか否かを判別する場合に、前記複数の選択肢は、記録パワーを１段階下げる選択肢を更に含むこととすることができる。
【００１８】
上記請求項１に記載の記録条件決定方法において、請求項６に記載の記録条件決定方法の如く、前記選択基準は、予め設定された基準であることとすることができる。
【００１９】
上記請求項１に記載の記録条件決定方法において、請求項７に記載の記録条件決定方法の如く、前記選択基準は、外部入力によって設定される基準であることとすることができる。
【００２０】
上記請求項６及び７に記載の各記録条件決定方法において、請求項８に記載の記録条件決定方法の如く、前記基準は、記録速度を下げて再度試し書きを行い新たに最適な記録パワーを求める選択肢、閾値近傍の所定値に記録パワーを変更する選択肢、及び記録パワーを一段階下げる選択肢、の中の少なくとも１つの選択肢と、最適な記録パワーを変更しない選択肢とを含む複数の選択肢の中から１つを選択するための基準であることとすることができる。
【００２１】
上記請求項１〜８に記載の各記録条件決定方法において、請求項９に記載の記録条件決定方法の如く、前記第２工程で、前記選択基準に応じて、最適な記録パワーを変更しない選択肢が選択された場合に、前記最適な記録パワー及び前記最適な記録パワーでの前記光源の発光時間を含む履歴情報を保存する第４工程を更に含むこととすることができる。かかる場合には、過去の記録パワーと記録時間に関する履歴情報に基づいて光源の寿命に及ぼす影響を予測する際のデータが蓄積されることとなる。
【００２２】
請求項１０に記載の発明は、光源から出射された光ビームを用いて情報記録媒体に情報を記録する情報記録装置で用いられるプログラムであって、前記情報記録媒体に対する試し書きの結果又は記録時の前記情報記録媒体からの反射光の受光結果に基づいて前記光源の最適な記録パワーが予め設定されている閾値を超えているか否かを判別する第１手順と；前記判別の結果、前記最適な記録パワーが前記閾値を超えている場合に、所定の選択基準に応じて、最適な記録パワーを変更しない選択肢を含む複数の選択肢の中からいずれかを選択する第２手順と；前記選択された選択肢に基づいて記録条件を決定する第３手順と；を前記情報記録装置の制御用コンピュータに実行させるプログラムである。
【００２３】
これによれば、本発明のプログラムがメインメモリにロードされ、その先頭アドレスがプログラムカウンタにセットされると、情報記録装置の制御用コンピュータは、情報記録媒体に対する試し書きの結果又は記録時の情報記録媒体からの反射光の受光結果に基づいて光源の最適な記録パワーが予め設定されている閾値を超えているか否かを判別し、その判別の結果、最適な記録パワーが閾値を超えている場合に、所定の選択基準に応じて、最適な記録パワーを変更しない選択肢を含む複数の選択肢の中からいずれかを選択する。そして、その選択された選択肢に基づいて記録条件を決定する。すなわち、本発明のプログラムによれば、情報記録装置の制御用コンピュータに請求項１に記載の発明に係る記録条件決定方法を実行させることができ、これにより、光源の劣化を抑制し、記録品質に優れた記録を高速度で行うことが可能となる。
【００２４】
この場合において、請求項１１に記載のプログラムの如く、前記選択基準は、前記光源の寿命に及ぼす影響の予測結果が所定のレベル以下のときに、前記複数の選択肢の中から、最適な記録パワーを変更しない選択肢を選択する基準であることとすることができる。
【００２５】
請求項１２に記載の発明は、請求項１０又は１１に記載のプログラムが記録されたコンピュータ読み取り可能な記録媒体である。
【００２６】
これによれば、請求項１０又は１１に記載のプログラムが記録されているために、コンピュータに実行させることにより、光源の劣化を抑制し、記録品質に優れた記録を高速度で行うことが可能となる。
【００２７】
請求項１３に記載の発明は、光源から出射された光ビームを用いて情報記録媒体に情報を記録する情報記録装置であって、前記情報記録媒体に対する試し書きの結果、又は情報の記録時の前記情報記録媒体からの反射光の受光結果に基づいて前記光源の最適な記録パワーを求める記録パワー取得手段と；前記最適な記録パワーが予め設定されている閾値を超えているか否かを判別する判別手段と；前記判別手段での判別の結果、前記最適な記録パワーが前記閾値を超えている場合に、所定の選択基準に応じて、最適な記録パワーを変更しない選択肢を含む複数の選択肢の中からいずれかを選択する選択手段と；前記選択された選択肢に基づいて記録条件を決定する決定手段と；を備える情報記録装置である。
【００２８】
これによれば、記録パワー取得手段により、情報記録媒体に対する試し書きの結果、又は情報の記録時の情報記録媒体からの反射光の受光結果に基づいて光源の最適な記録パワーが求められ、その最適な記録パワーが予め設定されている閾値を超えているか否かが判別手段により判別される。判別手段での判別の結果、最適な記録パワーが閾値を超えている場合に、選択手段により、所定の選択基準に応じて、最適な記録パワーを変更しない選択肢を含む複数の選択肢の中からいずれかが選択され、その選択された選択肢に基づいて決定手段により記録条件が決定される。そこで、選択手段では、例えば光源に対するダメージが小さいと予想できるときには、最適な記録パワーを変更しない選択肢が選択されるように選択基準を設定することにより、最適な記録パワーが閾値を超えている場合であっても、記録速度を下げることなく記録を行うことができる。すなわち、光源の劣化を抑制し、記録品質に優れた記録を高速度で行うことが可能となる。
【００２９】
この場合において、請求項１４に記載の情報記録装置の如く、前記光源に関する履歴情報が保存される第１の記憶手段と；前記選択手段で最適な記録パワーを変更しない選択肢が選択された場合に、前記最適な記録パワー及び前記最適な記録パワーでの前記光源の発光時間を含む履歴情報を前記第１の記憶手段に保存する保存手段と；を更に備えることとすることができる。
【００３０】
上記請求項１３及び１４に記載の各情報記装置において、請求項１５に記載の情報記録装置の如く、前記情報記録媒体の種類を取得する種類取得手段と；前記閾値近傍の所定値がそのパワーマージン内に含まれる少なくとも１つの情報記録媒体の種類が記録されている第２の記憶手段と；を更に備え、前記複数の選択肢は、閾値近傍の所定値に記録パワーを変更する選択肢を更に含み、前記選択手段は、前記種類取得手段にて取得された情報記録媒体の種類が前記第２の記憶手段に記録されている場合に、前記閾値近傍の所定値に記録パワーを変更する選択肢を選択することとすることができる。
【００３１】
上記請求項１３〜１５に記載の各情報記録装置において、請求項１６に記載の情報記録装置の如く、前記判別手段での判別の結果を外部装置に通知する通知手段を更に備えることとすることができる。
【００３２】
請求項１７に記載の発明は、情報記録媒体に情報を記録する情報記録システムであって、請求項１３〜１６のいずれか一項に記載の情報記録装置と；前記情報記録装置を制御する情報処理装置と；を備える情報記録システムである。
【００３３】
これによれば、請求項１３〜１６のいずれか一項に記載の情報記録装置が用いられるために、光源の劣化を抑制し、記録品質に優れた記録を高速度で行うことが可能となる。
【００３４】
この場合において、請求項１８に記載に情報記録システムの如く、前記情報処理装置は、前記最適な記録パワーが前記閾値を超えているときに、最適な記録パワーを変更しない選択肢を含む複数の選択肢を表示する表示手段と、前記表示手段に表示された複数の選択肢の中からいずれかの選択肢を選択するための入力手段と、前記入力手段にて選択された選択肢を前記情報記録装置に通知する通知手段と、を備えることとすることができる。かかる場合には、例えばユーザが選択基準を設定することが可能となる。
【００３５】
【発明の実施の形態】
以下、本発明の一実施形態を図１〜図７に基づいて説明する。図１には、本発明の一実施形態に係る情報記録システムの概略構成が示されている。
【００３６】
この図１に示される情報記録システム１０は、情報記録装置としての光ディスク装置２０と、該光ディスク装置２０を制御する情報処理装置としてのホスト５０とを含んで構成されている。
【００３７】
前記光ディスク装置２０は、情報記録媒体としての光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、記録媒体としてのＲＯＭ３９、ＣＰＵ４０、ＲＡＭ４１及び第１、第２の記憶手段としてのフラッシュメモリ４３などを備えている。なお、図１における接続線は、代表的な信号や情報の流れを示すものであり、各ブロックの接続関係の全てを表すものではない。また、本実施形態では、光ディスク装置２０は、一例としてＤＶＤ系の規格に準拠した情報記録媒体（以下、「ＤＶＤ」と略述する）及びＣＤ系の規格に準拠した情報記録媒体（以下、「ＣＤ」と略述する）に対応可能であるものとする。
【００３８】
前記光ピックアップ装置２３は、光ディスク１５のスパイラル状又は同心円状のトラックが形成された記録面にレーザ光を照射するとともに、記録面からの反射光を受光するための装置である。この光ピックアップ装置２３は、一例として図２に示されるように、光源ユニット５１、コリメートレンズ５２、ビームスプリッタ５４、対物レンズ６０、検出レンズ５８、受光器５９、及び駆動系（フォーカシングアクチュエータ、トラッキングアクチュエータ及びシークモータ（いずれも図示省略））などを備えている。
【００３９】
前記光源ユニット５１は、波長が６６０ｎｍの光ビームを発光するＤＶＤ用の光源としての半導体レーザ（図示省略）と波長が７８０ｎｍの光ビームを発光するＣＤ用の光源としての半導体レーザ（図示省略）とを含んで構成されている。光源ユニット５１から出射される各光ビームの光量は不図示のモニタで検出され、出射光量信号としてレーザコントロール回路２４にフィードバックされている。なお、本実施形態では、光源ユニット５１から出射される各光ビームの最大強度出射方向を＋Ｘ方向とする。なお、光ディスク１５がＤＶＤのときはＤＶＤ用の半導体レーザが選択され、ＣＤのときはＣＤ用の半導体レーザが選択される。
【００４０】
前記コリメートレンズ５２は、光源ユニット５１の＋Ｘ側に配置され、光源ユニット５１から出射された光ビームを略平行光とする。前記ビームスプリッタ５４は、コリメートレンズ５２の＋Ｘ側に配置され、光ディスク１５からの戻り光を−Ｚ方向に分岐する。前記対物レンズ６０は、ビームスプリッタ５４の＋Ｘ側に配置され、ビームスプリッタ５４を透過した光ビームを集光し、光ディスク１５の記録面に光スポットを形成する。
【００４１】
前記検出レンズ５８は、ビームスプリッタ５４の−Ｚ側に配置され、ビームスプリッタ５４で分岐された戻り光を前記受光器５９の受光面に集光する。受光器５９は、通常の光ピックアップ装置と同様に、ウォブル信号情報、再生データ情報、フォーカスエラー情報及びトラックエラー情報などを含む複数の信号を再生信号処理回路２８に出力する。
【００４２】
前記再生信号処理回路２８は、図３に示されるように、Ｉ／Ｖアンプ２８ａ、サーボ信号検出回路２８ｂ、ウォブル信号検出回路２８ｃ、ＲＦ信号検出回路２８ｄ、デコーダ２８ｅ、及びＢ値検出回路２８ｆなどから構成されている。
【００４３】
前記Ｉ／Ｖアンプ２８ａは受光器５９の出力信号である電流信号を電圧信号に変換する。前記サーボ信号検出回路２８ｂはＩ／Ｖアンプ２８ａの出力信号に基づいてサーボ信号（フォーカスエラー信号やトラックエラー信号）を検出する。ここで検出されたサーボ信号はサーボコントローラ３３に出力される。前記ウォブル信号検出回路２８ｃはＩ／Ｖアンプ２８ａの出力信号に基づいてウォブル信号を検出する。前記ＲＦ信号検出回路２８ｄはＩ／Ｖアンプ２８ａの出力信号に基づいてＲＦ信号を検出する。
【００４４】
前記デコーダ２８ｅは、ウォブル信号検出回路２８ｃで検出されたウォブル信号からアドレス情報及び同期信号などを抽出する。ここで抽出されたアドレス情報はＣＰＵ４０に出力され、同期信号はエンコーダ２５に出力される。また、デコーダ２８ｅは、ＲＦ信号検出回路２８ｄで検出されたＲＦ信号に対して復調処理及び誤り訂正処理などを行った後、再生データとしてバッファマネージャ３７を介してバッファＲＡＭ３４に格納する。なお、再生データが音楽データの場合にはデコーダ２８ｅからの信号はＤ／Ａコンバータ（図示省略）を介して外部のオーディオ機器などに出力される。前記Ｂ値検出回路２８ｆは、ＲＦ信号検出回路２８ｄで検出されたＲＦ信号に対して、マーク領域に対応するタイミングでサンプリングを行い、それを記録パワーで割って正規化し、いわゆるＢ値を検出し、ＣＰＵ４０に出力する。なお、再生信号処理回路２８では、ＣＰＵ４０の指示により、光ディスクの種類に対応したサーボパラメータ（例えば、信号レベル調整用ゲインなど）を設定する。
【００４５】
図１に戻り、前記サーボコントローラ３３は、再生信号処理回路２８からのフォーカスエラー信号に基づいてフォーカスずれを補正するための制御信号を生成し、トラックエラー信号に基づいてトラックずれを補正するための制御信号を生成する。各制御信号はサーボコントローラ３３からそれぞれモータドライバ２７に出力される。
【００４６】
前記モータドライバ２７は、サーボコントローラ３３からの各制御信号に応じて光ピックアップ装置のトラッキングアクチュエータ及びフォーカシングアクチュエータを駆動する。すなわち、サーボ信号検出回路２８ｂ、サーボコントローラ３３及びモータドライバ２７によってトラッキング制御及びフォーカス制御が行われる。また、モータドライバ２７は、ＣＰＵ４０の指示に基づいてスピンドルモータ２２及び光ピックアップ装置のシークモータを制御する。
【００４７】
前記エンコーダ２５は、ＣＰＵ４０の指示に基づいて、バッファＲＡＭ３４に蓄積されているデータをバッファマネージャ３７を介して取り出し、データ変調及びエラー訂正コードの付加などを行ない、光ディスク１５への書き込み信号を生成するとともに、再生信号処理回路２８からの同期信号に同期してレーザコントロール回路２４に出力する。
【００４８】
前記レーザコントロール回路２４は、図４に示されるように、ＬＤドライバ２４ａ、パルス設定回路２４ｂ及びパワー設定回路２４ｃなどから構成されている。パルス設定回路２４ｂは、ＣＰＵ４０からの指示に基づいてエンコーダ２５からの書き込み信号に対してパルス幅を調整する。また、パワー設定回路２４ｃは、ＣＰＵ４０からの指示に基づいて発光パワーを設定する。ＬＤドライバ２４ａは、パルス設定回路２４ｂにてパルス調整された書き込み信号及びパワー設定回路２４ｃにて設定された発光パワーに基づいて、光ピックアップ装置２３の半導体レーザの出力を制御する。また、ＬＤドライバ２４ａは、前記出射光量信号に基づいて、半導体レーザの出力をフィードバック制御する。
【００４９】
図１に戻り、前記インターフェース３８は、ホスト５０との双方向の通信インターフェースであり、ＡＴＡＰＩ（ＡＴ  Ａｔｔａｃｈｍｅｎｔ  Ｐａｃｋｅｔ  Ｉｎｔｅｒｆａｃｅ）、ＳＣＳＩ（Ｓｍａｌｌ  Ｃｏｍｐｕｔｅｒ  Ｓｙｓｔｅｍ  Ｉｎｔｅｒｆａｃｅ）及びＵＳＢ（Ｕｎｉｖｅｒｓａｌ  Ｓｅｒｉａｌ  Ｂｕｓ）等の標準インターフェースに準拠している。
【００５０】
前記ＲＯＭ３９には、ＣＰＵ４０にて解読可能なコードで記述された後述する記録条件を決定する本発明の一実施形態に係るプログラム（以下、「記録条件決定プログラム」という）を含むプログラムが格納されている。
【００５１】
前記ＣＰＵ４０は、ＲＯＭ３９に格納されている上記プログラムに従って上記各部の動作を制御するとともに、制御に必要なデータ等を一時的にＲＡＭ４１に保存する。また、ＣＰＵ４０は、上記各部において、回路系がＣＤ用回路系とＤＶＤ用回路系とに分かれている場合には、いずれか一方を選択する信号を出力する。なお、光ディスク装置２０に電源が投入されると、ＲＯＭ３９に格納されているプログラムは、ＣＰＵ４０のメインメモリ（図示省略）にロードされる。
【００５２】
前記フラッシュメモリ４３には、後述する劣化履歴テーブル、特定メディアテーブルなどが格納されている。なお、フラッシュメモリ４３に格納されている内容は電源供給が停止されても消えることはない。
【００５３】
前記劣化履歴テーブルには、記録パワーＰｗが予め設定されている閾値Ｐｋを超えたときの履歴情報が半導体レーザ毎に保存されている。閾値Ｐｋは半導体レーザ毎に個別に設定され、その定格パワー近傍の値がそれぞれ用いられている。なお、各閾値は例えばホストから変更することが可能である。本実施形態では、ＤＶＤ用の半導体レーザに関して、一例として図５（Ａ）に示されるように、閾値Ｐｋよりも１ｍＷだけ大きい記録パワーでの積算記録時間が１０００分、閾値Ｐｋよりも２ｍＷだけ大きい記録パワーでの積算記録時間が３００分、閾値Ｐｋよりも３ｍＷだけ大きい記録パワーでの積算記録時間が２００分、閾値Ｐｋよりも４ｍＷだけ大きい記録パワーでの積算記録時間が５０分、閾値Ｐｋよりも５ｍＷだけ大きい記録パワーでの積算記録時間が０分、閾値Ｐｋよりも６ｍＷだけ大きい記録パワーでの積算記録時間が０分という情報が保存されているものとする。
【００５４】
前記特定メディアテーブルには、閾値Ｐｋ近傍の発光パワー（ここでは、Ｐｌｉｍｉｔとする）がそのパワーマージンの範囲内に含まれる情報記録媒体の種類、メーカ識別コード及びタイプコードを含むメディア情報が記録されている。なお、Ｐｌｉｍｉｔは、対応する半導体レーザの閾値Ｐｋ以下の値であることが好ましい。また、以下では、特定メディアテーブルに記録されているメディア情報に対応する情報記録媒体を便宜上「特定メディア」ともいう。一般的には、ＣＤ−Ｒはパワーマージンが比較的大きく、ＤＶＤはパワーマージンが比較的小さい。
【００５５】
図１に戻り、前記ホスト５０は、主制御装置５０ａ、インターフェース５０ｂ、ハードディスク（ＨＤＤ）５０ｃ、入力装置５０ｄ及び表示装置５０ｅなどを備えている。
【００５６】
前記主制御装置５０ａは、マイクロコンピュータ、メインメモリ（いずれも不図示）などを含んで構成され、ホスト５０の全体を制御する。
【００５７】
前記インターフェース５０ｂは、光ディスク装置２０との双方向の通信インターフェースであり、ＡＴＡＰＩ、ＳＣＳＩ及びＵＳＢ等の標準インターフェースに準拠している。インターフェース５０ｂは光ディスク装置２０のインターフェース３８と接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。
【００５８】
前記ハードディスク５０ｃには、主制御装置５０ａのマイクロコンピュータで解読可能なコードで記述されたプログラムが格納されている。
【００５９】
前記表示装置５０ｅは、例えばＣＲＴ、液晶ディスプレイ（ＬＣＤ）及びプラズマディスプレイパネル（ＰＤＰ）などを用いた表示部（図示省略）を備え、主制御装置５０ａからの各種情報を表示する。
【００６０】
前記入力装置５０ｄは、例えばキーボード、マウス及びポインティングパッドなどのうち少なくとも１つの入力媒体（図示省略）を備え、ユーザから入力された各種情報を主制御装置５０ａに通知する。なお、入力媒体からの情報はワイヤレス方式で入力されても良い。また、表示装置５０ｅと入力装置５０ｄとが一体化されたものとして、例えばタッチパネル付きＣＲＴなどがある。
【００６１】
ここで、前述のように構成される光ディスク装置２０の所定位置に光ディスク１５がローディングされたときにＣＰＵ４０によって行われるメディア情報の取得処理について説明する。
【００６２】
光ディスク１５のローディングを検知すると、光ディスク１５を所定の線速度（例えば１倍速）で回転させるとともに、トラッキング制御及びフォーカス制御が正常に行われたか否か、アドレス情報が正常に抽出できたか否か、記録面での反射率が所定の値よりも大きいか否か、などに基づいて光ディスク１５の種類を判別する。なお、ここでは一例として、光ディスク１５がＤＶＤ−Ｒであると判別されたものとする。
【００６３】
続いて、光ディスク１５の所定位置に記録されているメーカ識別コードやタイプコードなどを読み出し、上記判別結果とともにメディア情報としてＲＡＭ４１に保存する。そして、処理を終了する。
【００６４】
次に、ホスト５０から記録要求コマンドを受信したときの処理について図６を用いて説明する。図６のフローチャートは、ＣＰＵ４０によって実行される一連の処理アルゴリズムに対応している。ホストから記録要求コマンドを受信すると、図６のフローチャートに対応するプログラムの先頭アドレスがＣＰＵ４０のプログラムカウンタにセットされ、処理がスタートする。なお、上述したメディア情報の取得処理は、すでに行われているものとする。また、記録要求コマンドには記録するデータ量に関する情報が付加されているものとする。
【００６５】
最初のステップ４０１では、指定された記録速度に基づいてスピンドルモータ２２の回転を制御するための制御信号をモータドライバ２７に出力する。
【００６６】
次のステップ４０３では、ＯＰＣ（Ｏｐｔｉｍｕｍ  Ｐｏｗｅｒ  Ｃｏｎｔｒｏｌ）を実行し、最適な記録パワーを決定する。すなわち、記録パワーを段階的に変化させつつ、ＰＣＡ（Ｐｏｗｅｒ  Ｃａｌｉｂｒａｔｉｏｎ  Ａｒｅａ）と呼ばれる試し書き領域に所定のデータを試し書きした後、それらのデータを順次再生し、ＲＦ信号から検出されたアシンメトリの値が予め実験等で求めた目標値とほぼ一致する場合を最も高い記録品質であると判断し、そのときの記録パワーを最適な記録パワーＰｗｏとする。また、Ｂ値検出回路２８ｆを介して最も高い記録品質でのＢ値を検出し、目標Ｂ値としてＲＡＭ４１に保存する。
【００６７】
次のステップ４０５では、ＯＰＣで得られた最適な記録パワーＰｗｏが前記閾値Ｐｋを超えているか否かを判断する。最適な記録パワーＰｗｏが閾値Ｐｋを超えていれば、ここでの判断は肯定され、その旨をホスト５０に通知する。この際に、予測記録時間や後述する積算劣化度合など光源の寿命に関係する情報を付加するのが好ましい。そして、ステップ４０７に移行する。
【００６８】
このステップ４０７では、ＲＡＭ４１からメディア情報を読み出し、フラッシュメモリ４３に格納されている前記特定メディアテーブルを参照し、光ディスク１５が特定メディアであるか否かを判断する。光ディスク１５が特定メディアでなければ、ここでの判断は否定されステップ４０９に移行する。
【００６９】
このステップ４０９では、記録要求コマンドに付加されている記録するデータ量に関する情報を抽出し、それに基づいて記録データ量を求めるとともに、この記録データ量が予め設定されている所定量Ａｋを超えているか否かを判断する。記録データ量が所定量Ａｋを超えていれば、ここでの判断は肯定されステップ４１１に移行する。なお、所定量Ａｋは例えばホストから変更することが可能である。
【００７０】
このステップ４１１では、記録データ量と記録速度とから記録時間Ｔｗを予想する。そして、次の（１）式に基づいて半導体レーザの劣化度合Ｄｒを算出する。ここでは一例として、Ｐｗｏ−Ｐｋ＝２（ｍＷ）、Ｔｗ＝２０（分）であるものとする。従って、Ｄｒ＝４０となる。
【００７１】
Ｄｒ＝（Ｐｗｏ−Ｐｋ）×Ｔｗ  ……（１）
【００７２】
次のステップ４１３では、フラッシュメモリ４３に格納されている前記劣化履歴テーブルを参照し、積算劣化度合Ｄｒｓを算出する。ここでは、Ｄｒｓ＝（１０００＋６００＋６００＋２００）＋４０＝２４４０となる。
【００７３】
次のステップ４１５では、算出された積算劣化度合Ｄｒｓが予め設定されている所定値Ｄｒｋを超えるか否かを判断する。積算劣化度合Ｄｒｓが所定値Ｄｒｋを超えていれば、ここでの判断は肯定されステップ４１７に移行する。
【００７４】
このステップ４１７では、記録速度を一段階下げるとともに、ホスト５０にそのことを通知した後、上記ステップ４０３に戻る。
【００７５】
なお、上記ステップ４０５において、最適な記録パワーＰｗｏが閾値Ｐｋ以下であれば、ステップ４０５での判断は否定されステップ４１９に移行する。このステップ４１９では、最適な記録パワーＰｗｏを記録パワーとし、パワー設定回路２４ｃに通知する。そして、ホスト５０に記録速度及び記録パワーを含む記録情報を通知した後、ステップ４２１に移行し、ユーザデータを記録する。なお、記録処理の詳細については後述する。
【００７６】
また、上記ステップ４０７において、光ディスク１５が特定メディアであれば、ステップ４０７での判断は肯定されステップ４２３に移行する。このステップ４２３では、前記発光パワーＰｌｉｍｉｔを記録パワーＰｗとするとともに、パワー設定回路２４ｃに通知する。そして、ホスト５０に記録速度及び記録パワーを含む記録情報を通知した後、ステップ４２１に移行し、ユーザデータを記録する。
【００７７】
また、上記ステップ４０９において、記録データ量が所定量Ａｋ以下であれば、ステップ４０９での判断は否定されステップ４２５に移行する。このステップ４２５では、最適な記録パワーＰｗｏを記録パワーＰｗとし、パワー設定回路２４ｃに通知するとともに、一例として図５（Ｂ）に示されるように、劣化履歴テーブルを更新する。そして、ホスト５０に記録速度及び記録パワーを含む記録情報を通知した後、ステップ４２１に移行し、ユーザデータを記録する。
【００７８】
また、上記ステップ４１５において、積算劣化度合Ｄｒｓが所定の値Ｄｒｋ以下であれば、ステップ４１５での判断は否定されステップ４２７に移行する。このステップ４２７では、上記ステップ４２３と同様に、最適な記録パワーＰｗｏを記録パワーＰｗとし、パワー設定回路２４ｃに通知するとともに、劣化履歴テーブルを更新する。そして、ホスト５０に記録速度及び記録パワーを含む記録情報を通知した後、ステップ４２１に移行し、ユーザデータを記録する。
【００７９】
ユーザデータの記録中には、Ｂ値検出回路２８ｆからのＢ値とＲＡＭ４１に格納されているＢ値の目標値（前記ＯＰＣの際に求めた目標Ｂ値）とを比較し、それらの差に基づいて記録パワーを修正する、いわゆるランニングＯＰＣが随時行われる。
【００８０】
ここで、上記ステップ４２１での記録処理について説明する。
【００８１】
再生信号処理回路２８から所定のタイミング毎に出力されるアドレス情報に基づいて、書き込み開始地点に光ピックアップ装置２３が位置するようにシークモータを制御する信号をモータドライバ２７に出力する。そして、バッファマネージャ３７からバッファＲＡＭ３４に蓄積されたユーザデータ量が所定の値を超えたとの通知を受け取ると、エンコーダ２５に書き込み信号の生成を指示する。続いて、光ピックアップ装置２３が書き込み開始地点に到達すると、エンコーダ２５に通知する。これにより、ユーザデータは、エンコーダ２５、レーザコントロール回路２４及び光ピックアップ装置２３を介して光ディスク１５に記録される。
【００８２】
また、データの記録中には、一定時間毎（例えば１０秒毎）に記録パワーの監視処理が行われる。この記録パワーの監視処理について図７を用いて説明する。図７のフローチャートは、ＣＰＵ４０によって実行される一連の処理アルゴリズムに対応している。ユーザデータの記録が開始されると、一定時間毎に図７のフローチャートに対応するプログラムの先頭アドレスがＣＰＵ４０のプログラムカウンタにセットされ、処理がスタートする。すなわち、この処理はタイマ割り込み処理の一つである。
【００８３】
最初のステップ５０１では、現在設定されている記録パワーＰｗを取得する。
【００８４】
次のステップ５０３では、現在設定されている記録パワーＰｗが前記閾値Ｐｋを超えているか否かを判断する。記録パワーＰｗが閾値Ｐｋを超えていれば、ここでの判断は肯定され、その旨をホスト５０に通知する。この際に、予測記録時間や積算劣化度合など光源の寿命に関係する情報を付加しても良い。そして、ステップ５０５に移行する。
【００８５】
このステップ５０５では、記録データの残量が予め設定されている所定量Ｂｋを超えているか否かを判断する。記録データの残量が所定量Ｂｋを超えていれば、ここでの判断は肯定されステップ５０７に移行する。なお、所定量Ｂｋは前記所定量Ａｋと同じであっても良い。
【００８６】
このステップ５０７では、記録データの残量と記録速度とから残りの記録時間Ｔｗｒを予想する。そして、次の（２）式に基づいて半導体レーザの劣化度合Ｄｒを算出する。
【００８７】
Ｄｒ＝（Ｐｗ−Ｐｋ）×Ｔｗｒ  ……（２）
【００８８】
次のステップ５０９では、前記劣化履歴テーブルを参照し、上記ステップ４１３と同様にして積算劣化度合Ｄｒｓを算出する。
【００８９】
次のステップ５１１では、算出された積算劣化度合Ｄｒｓが前記所定の値Ｄｒｋを超えるか否かを判断する。積算劣化度合Ｄｒｓが所定の値Ｄｒｋを超えていれば、ここでの判断は肯定されステップ５１３に移行する。
【００９０】
このステップ５１３では、記録速度を一段階下げるとともに、そのことをホスト５０に通知した後、割り込み処理を終了する。これにより、続いて行われるランニングＯＰＣによって、最適な記録パワーが低下することとなる。
【００９１】
なお、上記ステップ５０３において、記録パワーＰｗが閾値Ｐｋ以下であれば、ステップ５０３での判断は否定され、直ちに割り込み処理を終了する。
【００９２】
また、上記ステップ５０５において、記録データの残量が所定量Ｂｋ以下であれば、ステップ５０５での判断は否定されステップ５１５に移行し、劣化履歴テーブルを更新した後、割り込み処理を終了する。
【００９３】
また、上記ステップ５１１において、積算劣化度合Ｄｒｓが所定の値Ｄｒｋ以下であれば、ステップ５１１での判断は否定されステップ５１５に移行し、劣化履歴テーブルを更新した後、割り込み処理を終了する。
【００９４】
次に、ホストから再生要求のコマンドを受信したときのＣＰＵ４０の処理動作について簡単に説明する。
【００９５】
ホストから再生要求のコマンドを受信すると、再生速度に基づいてスピンドルモータ２２の回転を制御するための制御信号をモータドライバ２７に出力するとともに、再生要求のコマンドを受信した旨を再生信号処理回路２８に通知する。そして、再生信号処理回路２８からのアドレス情報に基づいて読み出し開始地点に光ピックアップ装置２３が位置するようにシークモータを制御する信号をモータドライバ２７に出力する。
【００９６】
続いて、光ピックアップ装置２３が読み出し開始地点に到達すると、再生信号処理回路２８に通知する。これにより、前述の如くして再生データが再生信号処理回路２８を介してバッファＲＡＭ３４に蓄積される。バッファＲＡＭ３４に蓄積された再生データがセクタデータとして揃うと、バッファマネージャ３７によりインターフェース３８を介してホストに転送される。
【００９７】
以上の説明から明らかなように、本実施形態に係る光ディスク装置では、ＣＰＵ４０及び該ＣＰＵ４０によって実行されるプログラムとによって、記録パワー取得手段、判別手段、選択手段、決定手段、保存手段、及び通知手段が実現されている。すなわち、記録開始前では、図６のステップ４０３の処理によって記録パワー取得手段が、ステップ４０５の処理によって判別手段が、ステップ４０７〜４１５の処理によって選択手段が、ステップ４２３、４２５、４２７の処理によって決定手段が、ステップ４２５、４２７の処理によって保存手段が実現されている。また、記録中では、図７のステップ５０１の処理によって記録パワー取得手段が、ステップ５０３の処理によって判別手段が、ステップ５０５〜５１１の処理によって選択手段が、ステップ５１３の処理によって決定手段が、ステップ５１５の処理によって保存手段が実現されている。しかしながら、本発明がこれに限定されるものではないことは勿論である。すなわち、上記実施形態は一例に過ぎず、上記のＣＰＵ４０によるプログラムに従う処理によって実現した構成各部の少なくとも一部をハードウェアによって構成することとしても良いし、あるいは全ての構成部分をハードウェアによって構成することとしても良い。
【００９８】
また、本実施形態では、ＲＯＭ３９にインストールされているプログラムのうち、図６及び図７のフローチャートで示される処理に対応するプログラムによって前記記録条件決定プログラムが構成されている。すなわち、記録開始前では、図６のステップ４０５の処理に対応するプログラムによって第１の手順が、ステップ４０７〜４１５の処理に対応するプログラムによって第２の手順が、ステップ４２３、４２５、４２７の処理によって第３の手順が構成されている。また、記録中では、図７のステップ５０３の処理に対応するプログラムによって第１の手順が、ステップ５０５〜５１１の処理に対応するプログラムによって第２の手順が、ステップ５１３の処理によって第３の手順が構成されている。
【００９９】
そして、記録中では、図６のステップ４０５の処理によって本発明に係る記録条件決定方法の第１工程が実施され、図６のステップ４０７〜４１５の処理によって第２工程が実施され、図６のステップ４２３、４２５、４２７の処理によって第３工程が実施されている。また、記録中では、図７のステップ５０３の処理によって本発明に係る記録条件決定方法の第１工程が実施され、図７のステップ５０５〜５１１の処理によって第２工程が実施され、図７のステップ５１３の処理によって第３工程が実施されている。
【０１００】
以上説明したように、本実施形態によると、ＯＰＣによって得られた最適な記録パワーが半導体レーザの定格値を超えるときであっても、光ディスク１５のパワーマージンが大きい場合には、半導体レーザの定格値近傍の発光パワーを記録パワーとして、記録条件を決定している。従って、記録速度を下げずに所定の記録品質が維持される記録を行うことができる。すなわち、半導体レーザの劣化を抑制し、記録品質に優れた記録を高速度で行うことが可能となる。
【０１０１】
また、本実施形態によると、ＯＰＣによって得られた最適な記録パワーが半導体レーザの定格値を超えるときであっても、記録するデータ量が少ない場合には、得られた最適な記録パワーに基づいて記録条件を決定している。従って、半導体レーザの劣化に対する影響は極めて小さい。すなわち、半導体レーザの劣化を抑制し、記録品質に優れた記録を高速度で行うことができる。
【０１０２】
また、本実施形態によると、ＯＰＣによって得られた最適な記録パワーが半導体レーザの定格値を超えるときであっても、記録データと記録時間の履歴情報とに基づいて算出される半導体レーザの積算劣化度合が小さい場合には、得られた最適な記録パワーに基づいて記録条件を決定している。すなわち、半導体レーザの寿命に悪影響を及ぼすことなく、記録品質に優れた記録を高速度で行うことができる。
【０１０３】
また、本実施形態によると、ランニングＯＰＣによって得られた最適な記録パワーが半導体レーザの定格値を超えるときであっても、記録データの残量が少ない場合には、そのままの記録条件で記録を継続している。従って、半導体レーザの劣化に対する影響は極めて小さい。すなわち、半導体レーザの劣化を抑制し、記録品質に優れた記録を高速度で行うことができる。
【０１０４】
また、本実施形態によると、ランニングＯＰＣによって得られた最適な記録パワーが半導体レーザの定格値を超えるときであっても、記録データと記録時間の履歴情報とに基づいて算出される半導体レーザの積算劣化度合が小さい場合には、そのままの記録条件で記録を継続している。従って、半導体レーザの寿命に悪影響を及ぼすことなく、記録品質に優れた記録を高速度で行うことができる。
【０１０５】
なお、上記実施形態では、図６のステップ４０７において記録データ量が所定量を超えているか否かを判断しているが、記録データ量と記録速度とから記録時間を予想し、その予想記録時間が所定の時間を超えるか否かを判断しても良い。この場合には、半導体レーザの発光時間で判断することとなり、劣化度合に対する影響をより正確に評価することができる。
【０１０６】
また、上記実施形態では、ＯＰＣから得られた最適な記録パワーが閾値Ｐｋを超えると、メディア情報、記録データ量及び劣化度合に基づいて記録速度を下げるか否かの判断をする場合について説明したが、これに限らず、例えばメディア情報、記録データ量及び劣化度合のうちの少なくとも１つに基づいて記録速度を下げるか否かの判断をしても良い。例えば記録速度を下げるか否かの判断にメディア情報を必要としない場合には、図６のステップ４０７、４２３の処理は不要であり、さらに特定メディアテーブルはなくても良い。そして、上記メディア情報の取得処理は行わなくても良い。また、例えば記録速度を下げるか否かの判断に劣化度合を必要としない場合には、図６のステップ４１１、４１３、４１５及び４２７の処理は不要であり、また、ステップ４２５での劣化履歴テーブルの更新処理も不要である。さらに、例えば記録速度を下げるか否かの判断に記録データ量を必要としない場合には、図６のステップ４０９、４２５の処理は不要である。
【０１０７】
また、上記実施形態では、ＯＰＣから得られた最適な記録パワーが閾値Ｐｋを超えると、メディア情報、記録データ量、劣化度合の順に判断をする場合について説明したが、これに限定されるものではない。
【０１０８】
また、上記実施形態では、図７のステップ５０５において記録データの残量が所定量を超えているか否かを判断しているが、記録データの残量と記録速度とから残りの記録時間を予想し、その予想記録時間が所定の時間を超えるか否かを判断しても良い。この場合には、半導体レーザの発光時間で判断することとなり、劣化度合に対する影響をより正確に評価することができる。
【０１０９】
また、上記実施形態では、ランニングＯＰＣから得られた最適な記録パワーが閾値Ｐｋを超えると、記録データの残量及び劣化度合に基づいて記録速度を下げるか否かの判断をする場合について説明したが、これに限らず、例えば記録データの残量又は劣化度合に基づいて記録速度を下げるか否かの判断をしても良い。例えば記録速度を下げるか否かの判断に劣化度合を必要としない場合には、図７のステップ５０７、５０９、５１１、及び５１５の処理は不要である。また、例えば記録速度を下げるか否かの判断に記録データ量を必要としない場合には、図７のステップ５０５の処理は不要である。
【０１１０】
なお、ＯＰＣから得られた最適な記録パワーが閾値Ｐｋを超えたとき、及びランニングＯＰＣから得られた最適な記録パワーが閾値Ｐｋを超えたときのいずれにおいても、記録速度を下げるか否かの判断に劣化度合を必要としない場合には、劣化履歴テーブルはなくても良い。
【０１１１】
また、上記実施形態では、ランニングＯＰＣから得られた最適な記録パワーが閾値Ｐｋを超えると、記録データの残量、劣化度合の順に判断をする場合について説明したが、これに限定されるものではない。
【０１１２】
また、上記実施形態では、最適な記録パワーが閾値Ｐｋを超えると、光ディスク装置側で半導体レーザの寿命に及ぼす影響を予測し、その予測結果に基づいて記録条件を変更するか否かの判断をする場合について説明したが、本発明がこれに限定されるものではない。例えば、ホスト５０は、ＯＰＣで得られた最適な記録パワーが閾値Ｐｋを超えた旨の通知を受けると、「最適な記録パワーを変更しない」、「記録速度を下げて再度試し書きを行い新たに最適な記録パワーを求める」、及び「閾値近傍の所定値に記録パワーを下げる」を含む複数の選択肢を表示装置５０ｅに表示し、ユーザによって入力装置５０ｄを介して複数の選択肢の中のいずれかが選択されると、その選択結果を光ディスク装置に通知しても良い。そして、光ディスク装置はホスト５０からの選択結果、すなわち、ユーザの選択に応じて記録条件を決定しても良い。同様に、ホスト５０は、ランニングＯＰＣで得られた最適な記録パワーが閾値Ｐｋを超えた旨の通知を受けると、「最適な記録パワーを変更しない」及び「記録速度を１段階下げる」を含む複数の選択肢を表示装置５０ｅに表示し、ユーザによって入力装置５０ｄを介して複数の選択肢の中のいずれかが選択されると、その選択結果を光ディスク装置に通知しても良い。また、複数の選択肢を表示する際に、予測記録時間や積算劣化度合など光源の寿命に関係する情報が光ディスク装置から送られてきたときは、それらも表示装置５０ｅに表示することが好ましい。ユーザの判断材料となるからである。
【０１１３】
なお、上記ユーザによって行われる選択は、例えばホスト５０を管理しているオペレーティングシステムなどによって行われても良い。
【０１１４】
あるいは、最適な記録パワーが閾値Ｐｋを超えたときの処理を予め設定しておいても良い。例えば、ユーザが、ホスト５０を介して、ＯＰＣで得られた最適な記録パワーが閾値Ｐｋを超えた場合の処理、及びランニングＯＰＣで得られた最適な記録パワーが閾値Ｐｋを超えた場合の処理をそれぞれ予め設定しておいても良い。この場合には、例えば、ＯＰＣで得られた最適な記録パワーが閾値Ｐｋを超えると、光ディスク装置はユーザによって予め設定されている処理を実行することとなる。
【０１１５】
また、上記実施形態では、光ディスクがＤＶＤ−Ｒの場合について説明したが、本発明がこれに限定されるものではない。
【０１１６】
また、上記実施形態では、光ピックアップ装置が互いに異なる波長の光ビームを発光する２つの半導体レーザを備える場合について説明したが、これに限らず、例えば１つの半導体レーザを備えていても良い。この場合に、例えば波長が４０５ｎｍの光ビームを発光する半導体レーザ、波長が６６０ｎｍの光ビームを発光する半導体レーザ及び波長が７８０ｎｍの光ビームを発光する半導体レーザのいずれかであっても良い。
【０１１７】
さらに、上記実施形態では、ＤＶＤ用の半導体レーザとＣＤ用の半導体レーザとを備えているが、これに限らず、例えば波長が４０５ｎｍの光ビームを発光する半導体レーザを前記２つの半導体レーザのいずれかに代えて用いても良い。
【０１１８】
また、上記実施形態では、情報の記録及び再生が可能な光ディスク装置について説明したが、これに限らず、情報の記録、再生及び消去のうち少なくとも記録が可能な光ディスク装置であれば良い。
【０１１９】
また、上記実施形態では、記録条件決定プログラムは、ＲＯＭ３９に記録されているが、他の記録媒体（ＣＤ−ＲＯＭ、光磁気ディスク、フラッシュメモリ、フレキシブルディスク等）に記録されていても良い。この場合には、各記録媒体に対応するドライブ装置を付加し、各ドライブ装置から記録条件決定プログラムをインストールすることとなる。要するに、記録条件決定プログラムがＣＰＵ４０のメインメモリにロードされれば良い。
【０１２０】
【発明の効果】
以上説明したように、本発明に係る記録条件決定方法、情報記録装置及び情報記録システムによれば、光源の劣化を抑制し、記録品質に優れた記録を安定して行うことができるという効果がある。
【０１２１】
また、本発明に係るプログラム及び記録媒体によれば、情報記録装置の制御用コンピュータにて実行され、光源の劣化を抑制し、記録品質に優れた記録を安定して行うことができるという効果がある。
【図面の簡単な説明】
【図１】本発明の一実施形態に係る光ディスク装置の構成を示すブロック図である。
【図２】図１における光ピックアップ装置の詳細構成を説明するためのブロック図である。
【図３】図１における再生信号処理回路の詳細構成を説明するためのブロック図である。
【図４】図１におけるレーザコントロール回路の詳細構成を説明するためのブロック図である。
【図５】図５（Ａ）及び図５（Ｂ）は、それぞれ劣化履歴テーブルを説明するための図である。
【図６】本発明に係る記録開始前での記録条件決定処理を説明するためのフローチャートである。
【図７】本発明に係る記録中での記録条件決定処理を説明するためのフローチャートである。
【符号の説明】
１０…情報記録システム、１５…光ディスク（情報記録媒体）、２０…光ディスク装置（情報記録装置）、２８…再生信号処理回路、３９…ＲＯＭ（記録媒体）、４０…ＣＰＵ（記録パワー取得手段、判別手段、選択手段、決定手段、保存手段、通知手段）、４３…フラッシュメモリ（第１の記憶手段、第２の記憶手段）、５０…ホスト（情報処理装置）、５０ａ…主制御装置（通知手段）、５０ｄ…入力装置（入力手段）、５０ｅ…表示装置（表示手段）。
【図１】
2004192726.tif 000003
【図２】
2004192726.tif 000004
【図３】
2004192726.tif 000005
【図４】
2004192726.tif 000006
【図５】
2004192726.tif 000007
【図６】
2004192726.tif 000008
【図７】
2004192726.tif 000009